(57)【要約】【課題】電源供給シートを薄くしながら、リードとの接触面積を大きくし、発光ダイオードを安定して明るく点灯させる。【解決手段】照明装置は、一対のリード２を有する複数の発光ダイオード１を電源供給シート３に連結している。電源供給シート３は、可撓性絶縁層６と、この可撓性絶縁層６の一方の面に積層している第１導電層４と、他方の面に積層している第２導電層５とを備える。発光ダイオード１の第１リード２Ａは、電源供給シート３に開口した挿通部９を通過して、第１平行接触部２ａを第１導電層４に面接触させている。発光ダイオード１の第２リード２Ｂは、電源供給シート３に開口した挿通部９を通過して、第２平行接触部２ｂを第２導電層５に面接触させている。照明装置は、第１リード２Ａを第１導電層４に、第２リード２Ｂを第２導電層５に電気接続して発光ダイオード１に通電して発光させる。【選択図】図２
2006210336.tif 000002
【特許請求の範囲】
【請求項１】
第１リード(2A)と第２リード(2B)からなる一対のリード(2)を有する複数の発光ダイオード(1)と、複数の発光ダイオード(1)のリード(2)を電気接続する電源供給シート(3)とを備え、電源供給シート(3)に連結された複数の発光ダイオード(1)を、電源供給シート(3)から発光ダイオード(1)に通電して発光させる照明装置であって、
電源供給シート(3)が、可撓性絶縁層(6)と、この可撓性絶縁層(6)の一方の面に積層している可撓性を有する第１導電層(4)と、可撓性絶縁層(6)の他方の面に積層している可撓性を有する第２導電層(5)とを備え、
発光ダイオード(1)の第１リード(2A)は第１導電層(4)の表面に沿う形状としてなる第１平行接触部(2a)を有し、第２リード(2B)は第２導電層(5)の表面に沿う形状としてなる第２平行接触部(2b)を有し、
発光ダイオード(1)は第１平行接触部(2a)を第１導電層(4)の表面に接触させ、第２平行接触部(2b)を第２導電層(5)の表面に接触させており、
第１リード(2A)を第１導電層(4)に、第２リード(2B)を第２導電層(5)に電気接続して発光ダイオード(1)に通電して発光させるようにしてなる発光ダイオードの照明装置。
【請求項２】
第１リード(2A)と第２リード(2B)からなる一対のリード(2)を有する複数の発光ダイオード(1)と、複数の発光ダイオード(1)のリード(2)を電気接続する電源供給シート(3)とを備え、電源供給シート(3)に連結された複数の発光ダイオード(1)を、電源供給シート(3)から発光ダイオード(1)に通電して発光させる照明装置であって、
電源供給シート(3)が、可撓性絶縁層(6)と、この可撓性絶縁層(6)の表面に、互いに同一面に離して配設している第１導電層(4)と第２導電層(5)を備え、
発光ダイオード(1)の第１リード(2A)は、第１導電層(4)の表面に沿う形状としてなる第１平行接触部(2a)を有し、第２リード(2B)は第２導電層(5)の表面に沿う形状としてなる第２平行接触部(2b)を有し、
発光ダイオード(1)が、第１平行接触部(2a)を第１導電層(4)の表面に接触させ、第２平行接触部(2b)を第２導電層(5)の表面に接触させており、
第１リード(2A)を第１導電層(4)に、第２リード(2B)を第２導電層(5)に電気接続して発光ダイオード(1)に通電して発光させるようにしてなる発光ダイオードの照明装置。
【請求項３】
第１平行接触部(2a)が、発光ダイオード(1)の第１リード(2A)を第１導電層(4)の表面に沿う形状に折曲してなる折曲部で、第２導電層(5)が、発光ダイオード(1)の第２リード(2B)を第２導電層(5)の表面に沿う形状に折曲してなる折曲部である請求項１または２に記載される発光ダイオードの照明装置。
【請求項４】
電源供給シート(3)が、第１導電層(4)と可撓性絶縁層(6)と第２導電層(5)の何れかあるいは全てに、発光ダイオード(1)のリード(2)を挿通する挿通部(9)を開口しており、
発光ダイオード(1)の第１リード(2A)は、第１導電層(4)の挿通部(9)を通過し、あるいは挿通部(9)を通過することなく第１平行接触部(2a)を第１導電層(4)の表面に接触させ、第２リード(2B)は、第１導電層(4)と可撓性絶縁層(6)の挿通部(9)を通過し、あるいは第１導電層(4)と可撓性絶縁層(6)と第２導電層(5)の挿通部(9)を通過して、第２平行接触部(2b)を第２導電層(5)の表面に接触させている請求項１に記載される発光ダイオードの照明装置。
【請求項５】
第１平行接触部(2a)が、第１導電層(4)の表面に沿う導電板(13)で、第２平行接触部を第２導電層(5)の表面に沿う導電板(13)としてなる請求項１または２に記載される発光ダイオードの照明装置。
【請求項６】
第１導電層(4)と第２導電層(5)が、布、不織布、紙等のフレキシブルシートに導電材を塗布または含有してなる導電シートである請求項１または２に記載される発光ダイオードの照明装置。
【請求項７】
第１導電層(4)と第２導電層(5)が導電繊維を含む不織布と布と紙のいずれかである請求項１または２に記載される発光ダイオードの照明装置。
【請求項８】
第１導電層(4)と第２導電層(5)が金属メッシュまたは金属箔である請求項１または２に記載される発光ダイオードの照明装置。
【請求項９】
第１導電層(4)と第２導電層(5)に、金属箔の給電リードを接続しており、給電リードを介して第１導電層(4)と第２導電層(5)に通電するようにしてなる請求項１または２に記載される発光ダイオードの照明装置。
【請求項１０】
第１導電層(4)と第２導電層(5)に、連結部材を介して、または縫着して給電リード(14)を接続しており、給電リード(14)を介して第１導電層(4)と第２導電層(5)に通電するようにしてなる請求項１または２に記載される発光ダイオードの照明装置。
【発明の詳細な説明】
【技術分野】
【０００１】
本発明は、発光ダイオードを使用する照明装置に関し、とくに多数の発光ダイオードを自由な位置に連結して発光できる照明装置に関する。
【背景技術】
【０００２】
発光ダイオードは、電球のフィラメントに相当するものがなく、半導体のｐｎ接合で発光させる。このため、電球とは比較にならない程に寿命が長く、しかも発光効率が高い特徴がある。しかしながら、発光ダイオードは、１個の発光出力が小さく、明るく発光させるためには多数の発光ダイオードを使用する必要がある。このことを実現するために、多数の発光ダイオードを並べて配列している照明装置は開発されている（特許文献１ないし３参照）。
【特許文献１】特開平６−２９１９４０号公報
【特許文献２】特開２００３−１４１９０６号公報
【特許文献３】特開２００３−０５９３３５号公報
【０００３】
これ等の公報には、多数の発光ダイオードを直線状に、あるいは円で囲まれる領域に並べて固定している照明装置が記載される。このように、多数の発光ダイオードを特定の配列で設けている照明装置は、各々の発光ダイオードのリードをプリント基板に半田付けして固定して、全ての発光ダイオードに通電して発光するようにしている。
【発明の開示】
【発明が解決しようとする課題】
【０００４】
以上のように、多数の発光ダイオードを備える照明装置は、全ての発光ダイオードのリードを電源ラインに半田付け等の方法で連結するので、組み立てに手間がかかる欠点がある。また、半田付け等の方法でリードを接続するので、専門技術のないものが組み立てできない欠点もある。さらに、発光ダイオードを定位置に固定するので、用途に最適なように多数の発光ダイオードの固定位置を種々の形態に変更するのが難しい欠点もある。とくに、プリント基板に発光ダイオードのリードを半田付けして固定する構造では、プリント基板への発光ダイオードの固定位置を特定しているので、専用に設計されたプリント基板を使用して、発光ダイオードを特定された位置に固定する必要がある。このため、発光ダイオードを種々の形態に配列しようとすると、各々の形態に専用設計されたプリント基板を使用する必要がある。このため、発光ダイオードの配列を自由に変更して、種々の用途に最適な配列にできない欠点があった。
【０００５】
以上のような問題点を解決するために、本発明者は、図１に示す構造の照明装置を開発した。この図に示す照明装置は、複数の発光ダイオード２１と、これらの発光ダイオード２１のリード２２を電気接続する状態で連結する電源供給装置２３とを備える。電源供給装置２３は、発光ダイオード２１のリード２２を挿通して保持する表面側弾性保持層２６及び裏面側弾性保持層２７を、絶縁層２８で絶縁して積層している。表面側弾性保持層２６と裏面側弾性保持層２７は、導電物質を含有する合成樹脂発泡体またはゴム状弾性体で、ここに挿通される発光ダイオード２１のリード２２に電気接続できる導電性を有している。さらに、発光ダイオード２１は、一方のリード２２を、表面側弾性保持層２６の貫通部分を絶縁している絶縁リード２２Ａとしている。
【０００６】
この照明装置は、発光ダイオード２１の絶縁リード２２Ａを表面側弾性保持層２６に貫通させて、表面側弾性保持層２６に電気接続することなく裏面側弾性保持層２７に挿通し、他方のリード２２を表面側弾性保持層２６に挿通して、表面側弾性保持層２６と裏面側弾性保持層２７とで発光ダイオード２１に通電して発光させる。この構造の照明装置は、電源供給装置の表面側弾性保持層と裏面側弾性保持層とが、発光ダイオードのリードを挿通して保持できる弾性と、保持状態でリードに通電する導電性とを有しているので、発光ダイオードの連結位置を簡単かつ容易に、しかも自由に変更しながら装着して、これらの発光ダイオードに通電して発光できる特長がある。
【０００７】
しかしながら、この構造の照明装置は、電源供給装置全体の厚さを薄くできない欠点がある。それは、この電源供給装置が、表面側弾性保持層や裏面側弾性保持層に発光ダイオードのリードを挿通して連結する構造とすると共に、挿通されたリードの表面を表面側弾性保持層や裏面側弾性保持層に電気接続して発光ダイオードに通電するようにしているからである。この構造の電源供給装置は、表面側弾性保持層や裏面側弾性保持層を薄くすると、挿通されるリードと弾性保持層との接触面積が小さくなるので、発光ダイオードを十分に保持できなくなると共に、リードを弾性保持層に低抵抗な状態で接続できなくなる。このため、この照明装置は、電源供給装置を薄くしながら、複数の発光ダイオードを外れないようにしっかりと装着して、しかも低抵抗な状態で全ての発光ダイオードに通電できない。
【０００８】
このように、この構造の照明装置は、複数の発光ダイオードの連結位置を自由に変更しながら簡単に装着して発光できる特長はあるが、電源供給装置を薄くして、軽くし、また自由に曲げることができる構造としながら発光ダイオードのリードを低抵抗な状態で接続できない欠点がある。
【０００９】
本発明は、このような欠点を解決することを目的に開発されたものである。本発明の重要な目的は、発光ダイオードの位置を簡単かつ容易に、しかも自由に変更できる発光ダイオードの照明装置を提供することにある。
本発明の他の大切な目的は、発光ダイオードを接続する電源供給シートを薄くしながら、発光ダイオードのリードとの接触面積を大きくでき、発光ダイオードを安定して明るく点灯できる発光ダイオードの照明装置を提供することにある。
【課題を解決するための手段】
【００１０】
本発明の請求項１の発光ダイオードの照明装置は、第１リード２Ａと第２リード２Ｂからなる一対のリード２を有する複数の発光ダイオード１と、複数の発光ダイオード１のリード２を電気接続する電源供給シート３とを備える。この照明装置は、電源供給シート３に連結された複数の発光ダイオード１を、電源供給シート３から発光ダイオード１に通電して発光させる。電源供給シート３は、可撓性絶縁層６と、この可撓性絶縁層６の一方の面に積層している可撓性を有する第１導電層４と、可撓性絶縁層６の他方の面に積層している可撓性を有する第２導電層５とを備える。電源供給シート３は、第１導電層４と可撓性絶縁層６と第２導電層５の何れかあるいは全てに、発光ダイオード１のリード２を挿通する挿通部９を開口している。発光ダイオード１の第１リード２Ａは、第１導電層４の表面に面接触または線接触する第１平行接触部２ａを有し、第２リード２Ｂは、第２導電層５の表面に面接触または線接触する第２平行接触部２ｂを有する。発光ダイオード１の第１リード２Ａは、第１導電層４の挿通部９を通過し、あるいは挿通部９を通過することなく第１平行接触部２ａを第１導電層４の表面に面接触または線接触させている。第２リード２Ｂは、第１導電層４と可撓性絶縁層６の挿通部９を通過し、あるいは第１導電層４と可撓性絶縁層６と第２導電層５の挿通部９を通過して、第２平行接触部２ｂを第２導電層５の表面に面接触または線接触させている。照明装置は、第１リード２Ａを第１導電層４に、第２リード２Ｂを第２導電層５に電気接続して発光ダイオード１に通電して発光させる。
【００１１】
本発明の請求項２の発光ダイオードの照明装置は、第１リード２Ａと第２リード２Ｂからなる一対のリード２を有する複数の発光ダイオード１と、複数の発光ダイオード１のリード２を電気接続する電源供給シート３とを備える。この照明装置は、電源供給シート３に連結された複数の発光ダイオード１を、電源供給シート３から発光ダイオード１に通電して発光させる。電源供給シート３は、可撓性絶縁層６と、この可撓性絶縁層６の表面に、互いに同一面に離して配設している第１導電層４と第２導電層５を備える。発光ダイオード１の第１リード２Ａは、第１導電層４の表面に面接触または線接触する第１平行接触部２ａを有し、第２リード２Ｂは、第２導電層５の表面に面接触または線接触する第２平行接触部２ｂを有する。この発光ダイオード１は、第１リード２Ａを可撓性絶縁層６に挿通して第１平行接触部２ａを第１導電層４の表面に面接触または線接触させ、第２リード２Ｂを可撓性絶縁層６に挿通して第２平行接触部２ｂを第２導電層５の表面に面接触または線接触させている。照明装置は、第１リード２Ａを第１導電層４に、第２リード２Ｂを第２導電層５に電気接続して発光ダイオード１に通電して発光させる。
【００１２】
本発明の照明装置は、第１平行接触部２ａを、発光ダイオード１の第１リード２Ａを第１導電層４の表面に沿う形状に折曲してなる折曲部とし、第２導電層５を、発光ダイオード１の第２リード２Ｂを第２導電層５の表面に沿う形状に折曲してなる折曲部とすることができる。
【００１３】
本発明の照明装置は、電源供給シート３が、第１導電層４と可撓性絶縁層６と第２導電層５の何れかあるいは全てに、発光ダイオード１のリード２を挿通する挿通部９を開口することができる。この照明装置は、発光ダイオード１の第１リード２Ａを、第１導電層４の挿通部９に通過させ、あるいは挿通部９を通過させることなく第１平行接触部２ａを第１導電層４の表面に接触させ、第２リード２ｂを、第１導電層４と可撓性絶縁層６の挿通部９を通過し、あるいは第１導電層４と可撓性絶縁層６と第２導電層５の挿通部９を通過させて、第２平行接触部２ｂを第２導電層５の表面に接触させることができる。
【００１４】
本発明の照明装置は、第１平行接触部２ａを、第１導電層４の表面に沿う導電板１３として、第２平行接触部２ａを第２導電層５の表面に沿う導電板１３とすることができる。
【００１５】
本発明の照明装置は、第１導電層４と第２導電層５を、布、不織布、紙等のフレキシブルシートに導電材を塗布または含有してなる導電シートとし、あるいは、導電繊維を含む不織布と布と紙のいずれかとし、あるいはまた、金属メッシュまたは金属箔とすることができる。
【００１６】
本発明の照明装置は、第１導電層４と第２導電層５に、金属箔の給電リードを接続して、給電リードを介して第１導電層４と第２導電層５に通電することができる。
【００１７】
本発明の照明装置は、第１導電層４と第２導電層５に、連結部材を介して、または縫着して給電リード１４を接続して、給電リード１４を介して第１導電層４と第２導電層５に通電することができる。
【発明の効果】
【００１８】
本発明の発光ダイオードの照明装置は、発光ダイオードの位置を簡単かつ容易に、しかも自由に変更できる特長がある。それは、本発明の照明装置が、発光ダイオードの一対のリードを連結する電源供給シートを、可撓性絶縁層に第１導電層と第２導電層とを積層してなる構造とすると共に、発光ダイオードの第１リードを第１導電層に接触させ、第２リードを第２導電層に接触させて発光ダイオードに通電して発光させるようにしているからである。この構造の照明装置は、従来のように、各々の形態に専用設計されたプリント基板を使用することなく、複数の発光ダイオードを簡単かつ容易に種々の形態に配列でき、また連結位置を自由に変更できる。
【００１９】
さらに、本発明の特筆すべき特長は、発光ダイオードを接続する電源供給シートを薄くしながら、発光ダイオードのリードとの導電層との接触面積を大きくして低抵抗な状態で電気接続できることである。本発明の照明装置は、発光ダイオードの第１リードに設けた第１平行接触部を第１導電層の表面に面接触または線接触させると共に、第２リード２Ｂに設けた第２平行接触部を第２導電層の表面に面接触または線接触させて、発光ダイオードの第１リードと第２リードを電源供給シートに電気接続している。すなわち、発光ダイオードのリードを導電層に貫通させて電気接続するのではなく、導電層の表面に面接触または線接触させて電気接続している。このため、発光ダイオードを接続する電源供給シートを薄くしながら、発光ダイオードのリードと導電層との接触面積を広くして確実に電気接続できる。このように、リードと導電層を広い接触面積で電気接続させる照明装置は、発光ダイオードのリードを低抵抗な状態で電源供給シートの導電層に電気接続して通電できるので、発光ダイオードを安定して明るく点灯できる。
【００２０】
さらに、本発明の照明装置は、可撓性のある可撓性絶縁層に、可撓性のある第１導電層と第２導電層とを積層して電源供給シートとしているので、発光ダイオードを接続する電源供給シートを自由に折り曲げたり変形できる構造として、種々の用途に便利に使用できる特長もある。
【発明を実施するための最良の形態】
【００２１】
以下、本発明の実施例を図面に基づいて説明する。ただし、以下に示す実施例は、本発明の技術思想を具体化するための発光ダイオードの照明装置を例示するものであって、本発明は照明装置を以下のものに特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図２と図３に示す照明装置は、第１リード２Ａと第２リード２Ｂからなる一対のリード２を有する複数の発光ダイオード１と、複数の発光ダイオード１のリード２に電気接続される電源供給シート３とを備える。これ等の図に示す照明装置は、電源供給シート３に連結された複数の発光ダイオード１を、電源供給シート３から発光ダイオード１に通電して発光させる。
【００２４】
発光ダイオード１は、第１リード２Ａと第２リード２Ｂを電源の正負に接続して点灯される。第１リード２Ａは、第１導電層４の表面に面接触または線接触して電気接続され、第２リード２Ｂは、第２導電層５の表面に面接触または線接触して電気接続される。第１リード２Ａは、第１導電層４の表面に面接触または線接触する第１平行接触部２ａを有し、第２リード２Ｂは、第２導電層５の表面に面接触または線接触する第２平行接触部２ｂを有する。図に示す発光ダイオード１は、第１リード２Ａを第１導電層４の表面に沿う形状に折曲している折曲部を第１平行接触部２ａとしている。図の折曲部は、リード２をＵ曲している。ただし、第１平行接触部は、必ずしもリードをＵ曲する必要はなく、たとえば、Ｖ字状、Ｗ字状、Ｌ字状等に折曲して、第１導電層に広い面積の接触状態として接触させることができる。さらに、図の発光ダイオード１は、第２平行接触部２ｂを第１平行接触部２ａと同じ形状にリードを折曲している。ただ、第１平行接触部と第２平行接触部とを異なる形状に折曲して、その形状で発光ダイオードの正負のリードを識別することができる。
【００２５】
さらに、図に示す発光ダイオード１は、第１リード２Ａと第２リード２Ｂを中間部で互いに反対方向に折曲しており、折曲された第１リード２Ａの先端側に第１平行接触部２ａを、第２リード２Ｂの先端側に第２平行接触部２ｂをそれぞれ設けている。この形状の発光ダイオード１は、第１リード２Ａの第１平行接触部２ａである折曲部と、第２リード２Ｂの第２平行接触部２ｂである折曲部とを、第１導電層４と第２導電層５の表面に沿う互いに平行な面状に配設しながら、第１平行接触部２ａと第２平行接触部２ｂとで発光ダイオード１の本体部を所定の姿勢に安定して支持できる特長がある。図に示す発光ダイオード１は、本体部を起立姿勢に支持している。ただ、発光ダイオードは、本体部を電源供給シートの表面に対して、傾斜する姿勢に支持することもできる。さらに、発光ダイオードの一対のリードは、必ずしも反対方向に折曲する必要はなく、同方向に折曲することも、異なる方向に角度のある状態で折曲することもできる。発光ダイオードは、一対のリードをいずれの方向に折曲する場合においても、２本のリードの折曲部が広い面積で電源供給シートに接続されるので、発光部分である本体部を、電源供給シートに対して所定の姿勢に安定して保持できる。
【００２６】
以上のように、発光ダイオード１のリード２を折曲して第１平行接触部２ａと第２平行接触部２ｂとする構造は、リード２に別の部材を連結することなく、リード２を第１導電層４と第２導電層５に広い面積で電気接続できる。
【００２７】
ただ、本発明の照明装置は、図９に示すように、発光ダイオード１のリード２に、溶接や半田付け等の方法で金属板等の導電板１３を連結し、導電板を第１平行接触部２ａと第２平行接触部２ｂとすることもできる。導電板１３には、金属板に変わって、板材の表面に金属箔や導電膜を接着し、あるいは導電塗料を塗布したものも使用できる。さらに、リードは、図示しないが、先端部をプレスで圧延成型して、導電板を設けることもできる。金属板等の導電板１３からなる第１平行接触部２ａと第２平行接触部２ｂは、さらに広い面積で第１導電層４と第２導電層５に面接触できる。
【００２８】
図２の電源供給シート３は、可撓性絶縁層６と、この可撓性絶縁層６の一方の面に積層している可撓性を有する第１導電層４と、可撓性絶縁層６の他方の面に積層している可撓性を有する第２導電層５とを備える。さらに、図の電源供給シート３は、第１導電層４と第２導電層５の表面に表面シート７を積層している。表面シート７は、可撓性がある絶縁性のシートである。表面シート７は、剥離できるように第１導電層４と第２導電層５に接着され、あるいは剥離できないように接着される。剥離できる表面シート７は、表面シート７と第１導電層４との間に第１平行接触部２ａを挟着でき、また、表面シート７と第２導電層５との間に第２平行接触部２ｂを挟着して保持できる。
【００２９】
図３の電源供給シート３は、可撓性絶縁層６と、この可撓性絶縁層６の表面に配設している第１導電層４及び第２導電層５を有する。さらに、図の電源供給シート３は、第１導電層４と第２導電層５の表面に可撓性絶縁層６を積層している。すなわち、図の電源供給シート３は、２層の可撓性絶縁層６の間に第１導電層４と第２導電層５を配設した構造としている。第１導電層４と第２導電層５は、絶縁隙間１０で互いに離されて同一面に配設される。絶縁隙間１０は、第１導電層４と第２導電層５を絶縁するための隙間で、好ましくは１〜１０ｍｍ、さらに好ましくは２〜５ｍｍとする。図３の電源供給シート３は、第１導電層４と第２導電層５を縞状に配列している。縞状の第１導電層４と第２導電層５は、交互に配列されて、第１導電層４と第２導電層５の間に沿って発光ダイオード１を接続するようにしている。図の電源供給シート３は、第１導電層４と第２導電層５を縞状に配列しているが、第１導電層と第２導電層は必ずしも縞状に配列する必要はない。たとえば、第１導電層と第２導電層と絶縁隙間を同心円状に配列することもできる。また、絶縁隙間がたとえば、波型、楕円形等となるように第１導電層と第２導電層を配列することもできる。
【００３０】
可撓性絶縁層６は可撓性のある絶縁シート８である。絶縁シート８は、プラスチックフィルムである。ただ、絶縁シート８には、不織布や布、紙等の可撓性のある非導電性の全てのシートとすることができる。図２の電源供給シート３は、絶縁シート８の両面に、粘着層を介して第１導電層４と第２導電層５を接着している。図３の電源供給シート３は、絶縁シート８の間に第１導電層４と第２導電層５を平行に並べて接着している。粘着層のある絶縁シート８として、両面接着テープや接着テープを使用することができる。粘着層は、剥離できるように第１導電層４と第２導電層５に接着される。ただ、図２の電源供給シートは、剥離できない状態で絶縁シートを第１導電層と第２導電層に接着することができる。また、図３の電源供給シートは、裏面に接着する絶縁シートに第１導電層と第２導電層を剥離しないように接着できる。
【００３１】
剥離できる粘着層で絶縁シート８を、第１導電層４と第２導電層５に接着している電源供給シート３は、図２と図４に示すように、粘着層を剥離して、第１導電層４と可撓性絶縁層６の間に発光ダイオード１の第１リード２Ａを配設し、また第２導電層５と可撓性絶縁層６との間に第２リード２Ｂを配設できる。剥離できない粘着層で絶縁シート８を第１導電層４と第２導電層５に接着している電源供給シート３は、図５に示すように、第１導電層４の絶縁シート８と反対側の表面と、第２導電層５の絶縁シート８と反対側の表面に発光ダイオード１のリード２を接続する。絶縁シート８と第１導電層４と第２導電層５を剥離できない状態で接続する電源供給シート３は、粘着層に代わって接着剤で絶縁シート８を第１導電層４と第２導電層５に接着できる。
【００３２】
可撓性絶縁層６は、第１導電層４や第２導電層５の表面に、絶縁塗料を塗布して設けることもできる。塗料を塗布して設けられる可撓性絶縁層６は、絶縁塗料を第１導電層４と第２導電層５に塗布し、可撓性絶縁層６で第１導電層４と第２導電層５を接着する状態に積層することができる。
【００３３】
第１導電層４と第２導電層５は、可撓性と導電性を有し、表面に発光ダイオード１のリード２を接触させて通電する。第１導電層４と第２導電層５は、可撓性絶縁層６との対向面に、あるいはその反対面にリード２を接触させて通電する。第１導電層４と第２導電層５は、導電性と可撓性を有するシート材が使用できる。このシート材として、たとえば、導電性のフレキシブルシートや、自由に変形できるフレキシブルシートに導電材を塗布し、あるいは含浸している導電シートが使用できる。フレキシブルシートは、布、不織布、紙、プラスチックフィルム等である。導電材は、バインダーに導電性の粉末や繊維、または液体を混合したものである。導電材は、バインダーが未硬化な状態ではペースト状である。ペースト状の導電材をフレキシブルシートに塗布し、あるいは含浸させて導電シートとする。
【００３４】
また、第１導電層と第２導電層は、導電繊維を含む不織布、紙、あるいは導電繊維をシート状に編組した布も使用できる。導電繊維は、カーボン繊維、あるいは繊維の表面に導電層を設けた繊維、あるいは又金属を細い繊維状としている金属繊維である。これ等の第１導電層と第２導電層は、繊維が導電性を有するので、導電材を塗布し、あるいは含浸する必要がない。ただ、導電性の繊維を方向性なく集合した不織布や布、あるいは導電繊維を編組したものに、さらに導電材を塗布または含浸することもできる。
【００３５】
フレキシブルシートに導電材を塗布又は含浸したもの、あるいは導電性の繊維からなるもの、あるいは導電性の繊維からなる不織布等に導電材を塗布又は含浸した第１導電層４や第２導電層５は、金属板に比較して電気抵抗が相当に大きく、発光ダイオード１に流れる電流を制限する。このため、この種の第１導電層４と第２導電層５からなる電源供給シート３は、発光ダイオード１の電流を制限するために、電流制限抵抗を設けることなく、多数の発光ダイオード１を点灯できる。
【００３６】
以上の構造の電源供給シート３は、絶縁シート８及び表面シート７の厚さを、０．１〜１ｍｍ、好ましくは、０．２〜０．５ｍｍとし、第１導電層４及び第２導電層５の厚さを、０．２〜２．５ｍｍ、好ましくは、０．５〜２ｍｍとすることができる。したがって、電源供給シート３全体の厚さを、６ｍｍ以下として、極めて薄くすることができる。ただし、電源供給シートは、後述するが、第１導電層及び第２導電層を複数層に積層することもできるので、第１導電層、第２導電層、絶縁シート及び表面シートの積層状態によって電源供給シートの厚さを種々に変更し、６ｍｍ以上とすることもできる。
【００３７】
電源供給シート３の厚さは、たとえば、発光ダイオード１のリード２の全長よりも小さくする。本発明の照明装置は、発光ダイオードのリードを導電層に挿通するのではなく、表面に面接触または線接触させる状態で接触させるので、電源供給シートを、リードを挿通できる厚さとすることなく、電源供給シートを薄くしながらリードを低抵抗な状態で接続できる。このため、電源供給シート３の厚さをリード２の全長よりも小さくして、いいかえると、電源供給シート３を薄くしながら、全長が電源供給シート３の厚さよりも大きいリード２を接続できる。
【００３８】
さらに、電源供給シートは、可撓性のある絶縁シートや導電層を積層してなる構造により、全体を柔らかくして、自由に変形できる特長がある。このように柔軟性のある電源供給シートは、起伏や凹凸のある面であっても、表面に沿う状態で敷設できる特長がある。さらに、衣服などの表面にも、容易に装着することができる。
【００３９】
電源供給シート３の第１導電層４と第２導電層５に、発光ダイオード１の第１リード２Ａと第２リード２Ｂを接続する状態を図４ないし図７の概略断面図に示す。ただし、図４ないし図７は、図２に示す構造の電源供給シート３に発光ダイオード１を接続して点灯する状態を示している。
【００４０】
図４の電源供給シート３は、第１リード２Ａの第１平行接触部２ａを第１導電層４と可撓性絶縁層６との間に配設し、第２リード２Ｂの第２平行接触部２ｂを第２導電層５と可撓性絶縁層６との間に配設して、発光ダイオード１を点灯する。この電源供給シート３は、第１リード２Ａの第１平行接触部２ａを、第１導電層４の内側面、すなわち可撓性絶縁層６との対向面に面接触させている。ここに配設される第１平行接触部２ａは、第１導電層４と可撓性絶縁層６との間に挟着されて、第１導電層４に電気接続される。第１平行接触部２ａは、第１導電層４と可撓性絶縁層６とを剥離し、剥離された可撓性絶縁層６と第１導電層４との間に挿入される。その後、第１導電層４を可撓性絶縁層６に接着して、第１平行接触部２ａを第１導電層４と可撓性絶縁層６とで挟着する。第１平行接触部２ａは、表面シート７と第１導電層４を通過して、可撓性絶縁層６と第１導電層４の間に配設される。したがって、この電源供給シート３は、表面シート７と第１導電層４に、第１平行接触部２ａを通過させる挿通部９を開口している。
図示しないが、発光ダイオードの第１平行接触部と第２平行接触部は、導電性の接着剤を介して第１導電層と第２導電層に接着することもできる。この構造は、発光ダイオードのリードをしっかりと導電層に連結しながら、安定して電気接続できる。
また、発光ダイオードは絶縁性のカシメやホッチキス（登録商標）等の止具を介してしっかりと固定することもできる。さらに、発光ダイオードは、リードの挿入部分に接着剤を塗布して、電源供給シートにしっかりと固定することもできる。この接着剤には、導電性を有するものもそうでないものも使用できる。以上のように、発光ダイオードをしっかりと固定できる構造は、発光ダイオードが不意に外れるのを有効に防止できる。
【００４１】
さらに、図４の電源供給シート３は、第２リード２Ｂの第２平行接触部２ｂを、第２導電層５の内側面、すなわち可撓性絶縁層６との対向面に面接触させている。ここに配設される第２平行接触部２ｂは、第２導電層５と可撓性絶縁層６との間に挟着されて、第２導電層５に電気接続される。第２平行接触部２ｂは、可撓性絶縁層６と第２導電層５の一部を剥離し、剥離された可撓性絶縁層６と第２導電層５との間に挿入される。その後、第２導電層５を可撓性絶縁層６に接着して、第２平行接触部２ｂを第２導電層５と可撓性絶縁層６とで挟着する。第２平行接触部２ｂは、表面シート７と第１導電層４と可撓性絶縁層６を通過して、可撓性絶縁層６と第２導電層５の間に配設される。したがって、第２平行接触部２ｂを挿通するために、表面シート７と第１導電層４と可撓性絶縁層６には、第２平行接触部２ｂを通過させる挿通部９を開口している。この電源供給シート３は、挿通部９を大きくして第１導電層４を貫通する第２リード２Ｂが第１導電層４に接触するのを極減できる。ただ、仮に、第１導電層４を貫通する第２リード２Ｂが第１導電層４に接触したとしても、本発明の照明装置では、第２リード２Ｂの第２平行接触部２ｂが第２導電層５と広い面積で低抵抗な状態で面接触しており、また第１導電層４全体の抵抗も大きく、さらには第２リード２Ｂと第１導電層４との接触抵抗も大きくなるので、実質的なショート電流を無視できる
【００４２】
図５の電源供給シート３は、第１リード２Ａの第１平行接触部２ａを、第１導電層４の外側面、すなわち可撓性絶縁層６との対向面の反対側の面に面接触させている。ここに配設される第１平行接触部２ａは、第１導電層４と表面シート７との間に挟着されて、第１導電層４に電気接続される。第１平行接触部２ａは、表面シート７の一部を剥離し、剥離された表面シート７と第１導電層４との間に挿入される。その後、表面シート７を第１導電層４に接着して、第１平行接触部２ａを第１導電層４と表面シート７とで挟着する。第１平行接触部２ａは、表面シート７を通過して、表面シート７と第１導電層４の間に配設される。したがって、表面シート７は第１平行接触部２ａを通過させる挿通部９を開口している。
【００４３】
さらに、図５の電源供給シート３は、第２リード２Ｂの第２平行接触部２ｂを、第２導電層５の外側面、すなわち可撓性絶縁層６との対向面の反対側の面に面接触させている。ここに配設される第２平行接触部２ｂは、第２導電層５と表面シート７との間に挟着されて、第２導電層５に電気接続される。第２平行接触部２ｂは、表面シート７の一部を剥離し、剥離された表面シート７と第２導電層５との間に挿入される。その後、表面シート７を第２導電層５に接着して、第２平行接触部２ｂを第２導電層５と表面シート７とで挟着する。第２平行接触部２ｂは、表面シート７と第１導電層４と可撓性絶縁層６と第２導電層５を通過して、下面の表面シート７と第２導電層５の間に配設される。したがって、第２平行接触部２ｂを挿通するために、上面の表面シート７と第１導電層４と可撓性絶縁層６と第２導電層５には、第２平行接触部２ｂを通過させる挿通部９を開口している。
【００４４】
図６の電源供給シート３は、第１リード２Ａの第１平行接触部２ａを第１導電層４と可撓性絶縁層６との間に、第２リード２Ｂの第２平行接触部２ｂを第２導電層５と表面シート７との間に配設している。この電源供給シート３は、表面シート７と第１導電層４に第１平行接触部２ａを挿通する挿通部９を開口し、表面シート７と第１導電層４と可撓性絶縁層６と第２導電層５に第２平行接触部２ｂを挿通する挿通部９を開口している。
【００４５】
図７の電源供給シート３は、第１リード２Ａの第１平行接触部２ａを第１導電層４と表面シート７との間に、第２リード２Ｂの第２平行接触部２ｂを可撓性絶縁層６と第２導電層５の間に配設している。この電源供給シート３は、表面シート７に第１平行接触部２ａを挿通する挿通部９を開口し、表面シート７と第１導電層４と可撓性絶縁層６に第２平行接触部２ｂを挿通する挿通部９を開口している。
【００４６】
さらに、図８の電源供給シート３は、複数の電源ユニット１１を積層している。各電源ユニット１１は、図２に示す構造で可撓性絶縁層６の一方の面に第１導電層４を、他方の面に第２導電層５を積層している。複数の電源ユニット１１を、絶縁シート８である可撓性絶縁層６を介して積層し、互いに積層される各電源ユニット１１同士を絶縁して電源供給シート３としている。さらに、図８の電源供給シート３は、最上層の電源ユニット１１の上面と、最下層の電源ユニット１１の下面に表面シート７を積層している。ただ、電源ユニットは、図２に示すように、両面に表面シートを積層したものとすることもできる。この電源ユニットは、互いの表面シート同士を積層して電源供給シートとする。さらに、図示しないが、積層される複数の電源ユニットは、図３に示す構造で可撓性絶縁層の間に第１導電層と第２導電層とを積層したものとすることもできる。
【００４７】
図８に示す電源供給シート３は、第１電源ユニット１１Ａと第２電源ユニット１１Ｂと第３電源ユニット１１Ｃとからなる３層の電源ユニット１１を積層している。ただ、電源供給シートは、図示しないが、２層の電源ユニットを積層することも、４層以上の電源ユニットを積層することもできる。図の電源供給シート３は、図において左側の発光ダイオード１を第１電源ユニット１１Ａに、右側の発光ダイオード１を第２電源ユニット１１Ｂにそれぞれ接続している。この電源供給シート３は、各発光ダイオード１の第１平行接触部２ａと第２平行接触部２ｂと所望の導電層に接続できるように第１電源ユニット１１Ａと第２電源ユニット１１Ｂとに挿通部９を開口している。
【００４８】
さらに、図の電源供給シート３は、第１電源ユニット１１Ａを第１電源１２Ａに、第２電源ユニット１１Ｂを第２電源１２Ｂに、第３電源ユニット１１Ｃを第３電源１２Ｃに接続している。この照明装置は、第１電源１２Ａないし第３電源１２Ｃを異なる電源１２とすることができる。たとえば、第１電源１２Ａを第２電源１２Ｂよりも高電圧とし、第３電源１２Ｃを点滅させる電源として、発光ダイオード１を種々な状態で点灯できる。すなわち、第１電源ユニット１１Ａに接続する発光ダイオード１を明るく、第３電源ユニット１１Ｃに接続する発光ダイオード１を点滅するなどの状態に点灯できる。
【００４９】
さらにまた、電源供給シートは、第１導電層と第２導電層のうち、一方の導電層を共通の導電ラインとして、他方の導電層を複数層に積層することもできる。図１０に示す電源供給シート３は、１層の第１導電層４と２層の第２導電層５とを可撓性絶縁層６である絶縁シート８を介在させて互いに積層している。この電源供給シート３は、第１導電層４を共通ラインとして、発光ダイオード１の第１リード２Ａを接続し、２層の第２導電層５を個別ラインとして、発光ダイオード１の第２リード２Ｂを接続している。電源供給シートの表面には、表面シート７を積層している。
【００５０】
さらに、図１１に示す電源供給シート３は、１層の第１導電層４と３層の第２導電層５とを可撓性絶縁層６である絶縁シート８を介在させて互いに積層している。この電源供給シート３は、共通ラインである第１導電層４をアースラインとして、発光ダイオード１の第１リード２Ａを接続し、個別ラインである３層の第２導電層５を電源ラインとして、発光ダイオード１の第２リード２Ｂを接続している。図に示す発光ダイオード１は、赤・緑・青の発光部を有する発光ダイオードで、各発光部に接続された３本の第２リード２Ｂを備えている。この照明装置は、発光ダイオード１の３本の第２リード２Ｂを３層の第２導電層５にそれぞれ接続すると共に、３層の第２導電層５を、第１電源１２Ａ、第２電源１２Ｂ、第３電源１２Ｃにそれぞれ接続している。この照明装置は、各電源の通電状態を制御して発光ダイオード１をフルカラー表示できる特長がある。ただ、電源供給シートは、共通ラインを＋極として、個別ラインを−極とすることもできる。
【００５１】
以上の実施例の照明装置は、電源供給シート３に設ける挿通部９を、発光ダイオード１の第１平行接触部２ａと第２平行接触部２ｂとを所望の導電層に接続できるように開口している。ただ、本発明の照明装置は、図示しないが、電源供給シートの全体を貫通する挿通部を設けることもできる。この構造の電源供給シートは、発光ダイオードの第１平行接触部と第２平行接触部とを接続する導電層を自由に選択したり変更できる特長がある。また、この電源供給シートは、両面に発光ダイオードを連結することもできる。さらに、電源供給シートは、複数に積層される導電層や絶縁層を色分けして、発光ダイオードの第１リードと第２リードを接続する導電層を識別することができる。
【００５２】
図１２に示すように、導電層１５と可撓性絶縁層６の両方に挿通部９を設ける場合、可撓性絶縁層６の挿通部９を導電層の挿通部９よりも小さく開口する。挿通部９を円形とする場合、可撓性絶縁層６の挿通部９の直径を、導電層１５の挿通部９の直径よりも小さくして、可撓性絶縁層６と導電層１５の挿通部９を同心に配設する。この構造によると、発光ダイオード１のリード２は、可撓性絶縁層６の小さい挿通部９に挿通して定位置に配置されて、導電層１５の挿通部９に非接触状態で挿通される。このため、可撓性絶縁層６の挿通部９で、リード２が導電層１５に接触するのを防止できる。したがって、図１に示すように、発光ダイオード２１のリード２２を絶縁リード２２Ａとすることなく使用できる。
【００５３】
第１導電層４と第２導電層５は、図に示すように、給電リード１４を表面に電気接続している。給電リード１４は、金属箔や可撓性のある金属線、あるいは導電層１５よりも電気抵抗の小さい導電層や導電材である。金属箔の給電リードは、導電性の接続剤を介して導電層の表面に接着して、導電層に電気接続させて連結することができる。金属線の給電リード１４は、縫着して導電層１５に固定し、あるいはホッチキス（登録商標）や粘着テープ等の連結部材を介して導電層１５に固定して、安定して電気接続される。さらに、この連結部材には、金属線の給電リードを導電層に接触状態で固定できる他のすべてのものが使用できる。さらに、導電材である給電リードは、バインダーに導電性の粉末や繊維を混合したものや導電性の液体が使用できる。これらの導電材は、ペーストまたは液体の状態で、導電層の表面に塗布し、あるいは含浸させて給電リードとする。導電材である給電リードは、導電層の表面に、ライン状に設けることも面状に設けることもできる。
【００５４】
給電リード１４の電気抵抗は導電層１５の電気抵抗よりも小さい。このため、発光ダイオード１に流れる電流は、電気抵抗の大きい導電層１５で制限される。導電層１５の電気抵抗が大きいために、発光色の異なる発光ダイオード、いいかえると点灯電圧（Ｖf）が異なる発光ダイオードを第１導電層４と第２導電層５に接続して点灯できる。
【００５５】
さらに、第１導電層４に接続される給電リード１４と第２導電層５に接続される給電リード１４は、発光ダイオード１の連結位置によらず、均一な輝度で発光できるように、図１３に示すように、互いに対向して配設される。対向して配設される第１導電層４と第２導電層５の給電リード１４は、その間隔（Ｄ）を発光ダイオード１のリード間隔（ｄ）よりも広くする。
【００５６】
金属線の給電リード１４を縫着して導電層１５に連結する状態を、図１４と図１５に示す。これらの図に示す電源供給シート３は、表面シート７または絶縁シート８の表面に導電層１５を積層すると共に、導電層１５に給電リード１４を縫着して固定している。給電リード１４を縫着する構造は、たとえば、下糸を給電リード１４である金属線、上糸を絶縁性の糸材１６としてミシンで縫着して、極めて簡単に固定できる。とくに、金属線である下糸の張りを糸材１６である上糸に対して強くすることによって金属線を断線させることなく理想的に配線できる。絶縁性の糸材１６には、たとえば、天然繊維やプラスチック繊維等が使用できる。このように、金属線を縫着する構造は、導電層１５の所定の位置に、極めて簡単に、しかもしっかりと給電リード１４を固定できる特長がある。さらに、縫着される電源供給シート３は、その縫着部分において、金属線と糸材１６の張力によって圧縮された状態に保持されるので、ここに挿通される発光ダイオード１のリード２をよりしっかりと保持できる特長もある。
【００５７】
図１４に示す電源供給シート３は、導電層１５の一方の表面に表面シート７を積層し、表面シート７が積層された面と反対側の面の表面に給電リード１４を縫着して固定している。表面に給電リード１４が固定された導電層１５は、図に示すように、絶縁シート８の両側に積層されて互いに絶縁される。絶縁シート８の両側に配設される導電層１５は、接着して固定され、あるいは縫着して固定することができる。導電層１５を縫着して固定する構造は、前述のように、導電層１５に挿通される発光ダイオード１のリード２をよりしっかりと保持できる特長もある。図の電源供給シート３は、表面シート７を外側とする状態で、すなわち導電層１５の給電リード１４が配置された面を絶縁シート８に対向させて配置しており、給電リード１４が電源供給シート３の表面側に表出するのを防止している。
【００５８】
図１５に示す電源供給シート３は、絶縁シート８の両側に導電層１５を積層し、絶縁シート８で絶縁された各導電層１５の外側面に金属線である給電リード１４を縫着して固定している。この電源供給シート３は、導電層１５の表面に給電リード１４を縫着する糸材１６を利用して、積層された導電層１５と絶縁シート８とを積層状態に連結している。さらに、この電源供給シート３は、給電リード１４が縫着された導電層１５の表面に、表面シート７を積層して連結している。表面シート７は、導電層１５に接着して固定され、あるいは縫着して固定することができる。
【００５９】
以上の構造の照明装置は、図１６の鎖線で示すように、電源供給シート３を自由にカットして、極めて簡単に所望の形状とすることができる。カットされた電源供給シート３は、図１７に示すように、第１導電層４と第２導電層５とに、電源リード１７を差し込んで、簡単かつ容易に電源（図示せず）に接続することができる。第１導電層４と第２導電層５に接続される電源リード１７は、リード線の芯線部分を導電層の境界隙間に挿入して接続することも、連結具を介して連結することもできる。この連結具には、たとえば、鳩目が使用できる。電気的な接触がよく、また優れた連結強度で連結できるからである。
【産業上の利用可能性】
【００６０】
本発明の発光ダイオードの照明装置は、電源供給シートを可撓性のある構造にできるので、電源供給シートを自由に折り曲げたり変形できる構造として種々の用途に使用できる。この構造の照明装置は、たとえば、芝生の養生や農作物の促成（光照射）用のシート、凧、洋服（舞台用の衣装など）、旗、カーテン、垂れ幕、じゅうたん、カーペット、壁紙、テント（イベント用に使用するテント）、トラックの幌（宣伝用）、ヨットの帆等のように、従来の照明装置では到底実現できなかった用途に、多種多様に使用できる。とくに、本発明の照明装置は、発光ダイオードの数や配列を用途に応じて種々に変更して、照明器具として、あるいは宣伝用の照明として、あるいはまた携帯用や非常用の照明器具として、広い分野で有効に活用できる。
【図面の簡単な説明】
【００６１】
【図１】本発明者が先に開発した照明装置の拡大断面図である。
【図２】本発明の一実施例にかかる発光ダイオードの照明装置の分解斜視図である。
【図３】本発明の他の実施例にかかる発光ダイオードの照明装置の概略斜視図である。
【図４】図２に示す照明装置の電源供給シートに発光ダイオードのリードを接続する状態を示す概略断面図である。
【図５】図２に示す照明装置の電源供給シートに発光ダイオードのリードを接続する他の一例を示す概略断面図である。
【図６】図２に示す照明装置の電源供給シートに発光ダイオードのリードを接続する他の一例を示す概略断面図である。
【図７】図２に示す照明装置の電源供給シートに発光ダイオードのリードを接続する他の一例を示す概略断面図である。
【図８】本発明の他の実施例にかかる発光ダイオードの照明装置の概略断面図である。
【図９】本発明の他の実施例にかかる発光ダイオードの照明装置の概略分解斜視図である。
【図１０】本発明の他の実施例にかかる発光ダイオードの照明装置の概略断面図である。
【図１１】本発明の他の実施例にかかる発光ダイオードの照明装置の概略断面図である。
【図１２】本発明の他の実施例にかかる発光ダイオードの照明装置の概略断面図である。
【図１３】図１２に示す照明装置の電源供給シートの概略平面図である。概略断面図である。
【図１４】本発明の他の実施例にかかる発光ダイオードの照明装置の電源供給シートの分解斜視図である。
【図１５】本発明の他の実施例にかかる発光ダイオードの照明装置の電源供給シートの分解斜視図である。
【図１６】電源供給シートをカットする状態を示す斜視図である。
【図１７】本発明の他の実施例にかかる発光ダイオードの照明装置の概略斜視図である。
【符号の説明】
【００６２】
１…発光ダイオード
２…リード              ２Ａ…第１リード        ２ａ…第１平行接触部
２Ｂ…第２リード        ２ｂ…第２平行接触部
３…電源供給シート
４…第１導電層
５…第２導電層
６…可撓性絶縁層
７…表面シート
８…絶縁シート
９…挿通部
１０…絶縁隙間
１１…電源ユニット      １１Ａ…第１電源ユニット
１１Ｂ…第２電源ユニット
１１Ｃ…第３電源ユニット
１２…電源              １２Ａ…第１電源
１２Ｂ…第２電源
１２Ｃ…第３電源
１３…導電板
１４…給電リード
１５…導電層
１６…糸材
１７…電源リード
２１…発光ダイオード
２２…リード            ２２Ａ…絶縁リード
２３…電源供給装置
２６…表面側弾性保持層
２７…裏面側弾性保持層
２８…絶縁層
【図１】
2006210336.tif 000003
【図２】
2006210336.tif 000004
【図３】
2006210336.tif 000005
【図４】
2006210336.tif 000006
【図５】
2006210336.tif 000007
【図６】
2006210336.tif 000008
【図７】
2006210336.tif 000009
【図８】
2006210336.tif 000010
【図９】
2006210336.tif 000011
【図１０】
2006210336.tif 000012
【図１１】
2006210336.tif 000013
【図１２】
2006210336.tif 000014
【図１３】
2006210336.tif 000015
【図１４】
2006210336.tif 000016
【図１５】
2006210336.tif 000017
【図１６】
2006210336.tif 000018
【図１７】
2006210336.tif 000019